【手続補正書】
【提出日】平成25年7月8日(2013.7.8)
【手続補正１】
【補正対象書類名】明細書
【補正対象項目名】００４２
【補正方法】変更
【補正の内容】
【００４２】
図１２のグラフ１２００は、長い滞留時間によって、Ｏ2濃度が減少することを示す。
グラフ１２００は、火炎中の酸素のピークレベルから、ピークレベルの１０％に低減されるまでに、Ｏ2に要求される時間（τ１０％）をプロットしている。たとえば、グラフ９００の線Ａによって示される１２００ケルビンのタービン排出温度では、要求される滞留時間は１秒を越える可能性がある。
本発明は、さまざまな修正形態および代替形態が可能であり、並びに、上記で論じた例示的な実施形態は、実施例としてのみ示される。本発明は、明細書に開示された特定の実施形態に限定されるものではないことを理解するべきである。実際、本発明は、添付の特許請求の範囲の真の精神および範囲に含まれる、すべての代替形態、修正形態、および均等物を含む。
次に、本発明の好ましい態様を示す。
１．  酸素燃料ガスタービンシステムであって、
酸素ストリームと、
二酸化炭素ストリームと、
制御燃料ストリームと、
前記酸素ストリーム、前記二酸化炭素ストリーム、および前記制御燃料ストリームを受容し、および、前記制御燃料ストリーム、前記二酸化炭素ストリーム、および前記酸素ストリームを燃焼させ、実質的に二酸化炭素と水を含む、ガス状燃焼ストリームを生成するように構成される燃焼ユニットであって、前記ガス状燃焼ストリームの温度は、少なくとも１８００度（カ氏）である燃焼ユニットと、
前記ガス状燃焼ストリームを受容し、前記ガス状燃焼ストリームを膨張させ、および、前記膨張したガス状燃焼ストリームをタービン排出ストリームとして排出するように構成されるタービンであって、前記タービン排出ストリームの温度は、少なくとも１２００度（カ氏）であるタービンと、
前記タービン排出ストリームを受容する前記タービンと、流体連通するプレナムであって、前記タービン排出ストリームの少なくとも１つの成分が、平衡に向かうように化学反応し、および、実質的に中間生成物を平衡生成物に変換する滞留時間を、供給するように構成される前記プレナムとを含むシステム。
２．  上記１に記載のシステムにおいて、
前記ガス状燃焼ストリームが膨張した場合に、前記タービンは発電するように構成されるシステム。
３．  上記１に記載のシステムにおいて、
前記ガス状燃焼ストリームからの前記二酸化炭素の少なくとも一部が、石油増進回収のために使用されるシステム。
４．  上記１に記載のシステムにおいて、
前記タービン排出ストリームのそれぞれの成分の濃度が、前記それぞれの成分の平衡濃度よりも大きいが１０％未満になるまで化学反応が進むように、前記滞留時間があらかじめ定められるシステム。
５．  上記４に記載のシステムにおいて、
前記それぞれの成分は、酸素であるシステム。
６．  上記４に記載のシステムにおいて、
前記それぞれの成分は、一酸化炭素であるシステム。
７．  上記４に記載のシステムにおいて、
前記それぞれの成分は、炭化水素中間体であるシステム。
８．  上記７に記載のシステムにおいて、
前記炭化水素中間体は、未燃炭化水素であるシステム。
９．  上記８に記載のシステムにおいて、
前記未燃炭化水素は、ホルムアルデヒドであるシステム。
１０．  上記１に記載のシステムにおいて、
前記タービンの出口における、前記タービン排出ストリームのそれぞれの成分の少なくともあらかじめ定められたパーセンテージが、前記プレナムの出口で平衡生成物に変換されるように、前記滞留時間があらかじめ定められるシステム。
１１．  上記１０に記載のシステムにおいて、
前記あらかじめ定められたパーセンテージは、５０％であるシステム。
１２．  上記１０に記載のシステムにおいて、
前記あらかじめ定められたパーセンテージは、７５％であるシステム。
１３．  上記１０に記載のシステムにおいて、
前記あらかじめ定められたパーセンテージは、９０％であるシステム。
１４．  上記１０に記載のシステムにおいて、
前記それぞれの成分は、酸素であるシステム。
１５．  上記１０に記載のシステムにおいて、
前記それぞれの成分は、一酸化炭素であるシステム。
１６．  上記１０に記載のシステムにおいて、
前記それぞれの成分は、炭化水素中間体であるシステム。
１７．  上記１６に記載のシステムにおいて、
前記炭化水素中間体は、未燃炭化水素であるシステム。
１８．  上記１７に記載のシステムにおいて、
前記未燃炭化水素は、ホルムアルデヒドであるシステム。
１９．  上記１に記載のシステムにおいて、
前記タービン排出ストリームのそれぞれの成分が、石油増進回収プロセスに使用されることに適切になるまで、前記それぞれの成分が化学反応するように、前記滞留時間があらかじめ定められるシステム。
２０．  上記１９に記載のシステムにおいて、
前記それぞれの成分は、酸素であって、前記酸素の濃度が１０ｐｐｍ以下であるシステム。
２１．  上記１９に記載のシステムにおいて、
前記それぞれの成分は、一酸化炭素であって、前記一酸化炭素の濃度は１０００ｐｐｍ以下であるシステム。
２２．  上記１に記載のシステムにおいて、
前記滞留時間は、実質的に０．１秒から１０秒の間であるシステム。
２３．  上記１に記載のシステムにおいて、
前記滞留時間は、実質的に０．１秒と２秒の間であるシステム。
２４．  上記１に記載のシステムにおいて、
前記滞留時間は、１秒以上であるシステム。
２５．  上記１に記載のシステムにおいて、
前記プレナムの中心線は、実質的に１０メートルから３０メートルの間であるシステム。
２６．  上記１に記載のシステムにおいて、
前記プレナムの中心線の長さは、３０メートル以上であるシステム。
２７．  上記１に記載のシステムにおいて、
前記タービンが作用する前の前記ガス状燃焼ストリームの圧力は、実質的に１２バールと１８バールとの間であるシステム。
２８．  上記１に記載のシステムにおいて、
前記ガス状燃焼ストリームの温度は、実質的に１９００度（カ氏）と２７００度（カ氏）との間であるシステム。
２９．  上記１に記載のシステムにおいて、
前記ガス状燃焼ストリームの温度は、実質的に２２００度（カ氏）と２５００度（カ氏）との間であるシステム。
３０．  上記１に記載のシステムにおいて、
前記ガス状燃焼ストリームの実質的に７０パーセントから８０パーセントは、二酸化炭素であるシステム。
３１．  上記１に記載のシステムにおいて、
前記タービン排出ストリームの圧力は、実質的に１バールであるシステム。
３２．  上記１に記載のシステムにおいて、
前記タービン排出ストリームの圧力は、実質的に１バールから２バールの間であるシステム。
３３．  上記１に記載のシステムにおいて、
前記タービン排出ストリームの温度は、１２００度（カ氏）から１８００度（カ氏）の間であるシステム。
３４．  上記１に記載のシステムにおいて、
前記タービン排出ストリームの温度は、１３５０度（カ氏）から１７００度（カ氏）の間であるシステム。
３５．  上記１に記載のシステムにおいて、
前記二酸化炭素ストリームは、前記燃焼ユニットに受容される前に、１つまたは複数のコンプレッサーで圧縮されるシステム。
３６．  上記１に記載のシステムにおいて、
前記プレナムは、熱回収蒸気発生器と流体連通するシステム。
３７．  上記３６に記載のシステムにおいて、
前記熱回収蒸気発生器は、発電するように構成されるシステム。
３８．  上記１に記載のシステムにおいて、
前記プレナムは、前記タービンと直接結合するシステム。
３９．  上記１に記載のシステムにおいて、
前記酸素ストリームは、空気分離装置を使用して生成されるシステム。
４０．  上記１に記載のシステムにおいて、
前記制御燃料ストリームは、二酸化炭素浸水貯留層および炭化水素燃料供給パイプラインの少なくとも１つから生成されるシステム。
４１．  上記１に記載のシステムにおいて、
前記二酸化炭素ストリームは、前記ガス状燃焼ストリームの７０パーセントから１００パーセントの二酸化炭素を含むシステム。
４２．  上記１に記載のシステムにおいて、
前記二酸化炭素ストリームは、油井から生成されるシステム。
４３．  上記１に記載のシステムにおいて、
前記二酸化炭素ストリームは、前記酸素燃料ガスタービンシステムの起動時には、主に第１の供給源から生成され、および、前記二酸化炭素ストリームは、前記酸素燃料ガスタービンシステムが継続して運転される間は、主に第２の供給源から生成されるシステム。
４４．  上記４３に記載のシステムにおいて、
前記第１の供給源は油井であり、前記第２の供給源は前記ガス状燃焼ストリームであるシステム。
４５．  上記１に記載のシステムにおいて、
前記二酸化炭素ストリームは、前記燃焼ユニットに受容される前に、実質的に１２から１８バール（ゲージ圧）の間に圧縮されるシステム。
４６．  上記１に記載のシステムにおいて、
前記プレナムは、水蒸気改質装置と流体連通し、前記水蒸気改質装置は、前記プレナム排出ストリームからの熱を使用し、前記制御燃料ストリームの水とメタンを、水素と一酸化炭素に改質するように構成されるシステム。
４７．  上記４６に記載のシステムにおいて、
前記水蒸気改質装置は、熱回収蒸気発生器と流体連通し、および熱回収蒸気発生器の上流に位置するシステム。
４８．  上記４６に記載のシステムにおいて、
前記水蒸気改質装置は、熱交換器と触媒を含むシステム。
４９．  ガス状燃焼ストリームを生成するように構成される燃焼ユニットと、
前記ガス状燃焼ストリームを受容し、前記ガス状燃焼ストリームを膨張させ、および、前記膨張したガス状燃焼ストリームをタービン排出ストリームとして排出するように構成されるタービンであって、前記タービン排出ストリームの温度は、少なくとも１２００度（カ氏）であるタービンと、
前記タービン排出ストリームを受容し、前記タービン排出ストリームから熱を除去し、熱を改質装置供給ストリームに伝えて、改質装置生成ストリームを生成するように構成される水蒸気改質装置とを含む酸素燃料ガスタービンシステムシステム。
５０．  上記４９に記載のシステムにおいて、
前記改質装置供給ストリームは、少なくとも制御燃料ストリームの一部を含むシステム。
５１．  上記５０に記載のシステムにおいて、
前記改質装置供給ストリームは、蒸気を含むシステム。
５２．  上記５１に記載のシステムにおいて、
前記改質装置供給ストリームは、二酸化炭素を含むシステム。
５３．  上記５０に記載のシステムにおいて、
前記燃焼ユニットは、酸素ストリーム、二酸化炭素ストリーム、および複合された燃料ストリームを受容するように構成され、前記複合された燃料ストリームは、前記制御燃料ストリームおよび前記改質装置生成ストリームの混合物を含むシステム。
５４．  上記５３に記載のシステムにおいて、
前記燃焼ユニットは、前記酸素ストリーム、前記二酸化炭素ストリーム、および前記複合された燃料ストリームを燃焼させ、前記ガス状燃焼ストリームを生成するように構成されるシステム。
５５．  上記５０に記載のシステムにおいて、
前記改質装置生成ストリームの一部は、さらに変化して分離され、水素リッチストリームと酸化炭素リッチストリームとを生成するシステム。
５６．  上記５５に記載のシステムにおいて、
前記燃焼ユニットは、酸素ストリーム、二酸化炭素ストリーム、および複合された燃料ストリームを受容するように構成され、前記複合された燃料ストリームは、前記制御燃料ストリームと前記酸化炭素リッチストリームとの混合物を含むシステム。
５７．  上記５６に記載のシステムにおいて、
前記複合された燃料ストリームは、さらに、Ｈ2リッチストリームの一部を含むシステム。
５８．  上記５５に記載のシステムにおいて、
前記水素リッチストリームは、製品として販売することに適切であり、または、異なるプロセスに配管されるシステム。
５９．  上記４９に記載のシステムにおいて、
さらに、前記タービン排出ストリームを冷却するために、改質装置は、熱回収蒸気発生器に結合されるシステム。
６０．  上記４９に記載のシステムにおいて、
さらに、改質装置の上流に位置するプレナムを含み、前記プレナムは、前記タービン排出ストリームのそれぞれの成分が、平衡に向かうように化学反応し、実質的に中間生成物を平衡生成物に変換する、滞留時間を供給するように構成されるシステム。
６１．  上記６０に記載のシステムにおいて、
さらに、前記改質装置の下流に位置する熱回収蒸気発生器を含むシステム。
６２．  上記４９に記載のシステムにおいて、
さらに、改質装置の下流に結合するプレナムを含み、前記プレナムは、前記タービン排出ストリームのそれぞれの成分が、平衡に向かうように化学反応し、実質的に中間生成物を平衡生成物に変換する、滞留時間を供給するように構成されるシステム。
６３．  上記６２に記載のシステムにおいて、
さらに、前記プレナムの下流に位置する熱回収蒸気発生器を含むシステム。
６４．  上記４９に記載のシステムにおいて、
改質装置と前記タービンの排出ノズルとの間の距離は、５メーター未満であるシステム。
６５．  上記４９に記載のシステムにおいて、
改質装置と前記タービンの排出ノズルとの間の滞留時間は、０．１秒未満であるシステム。
６６．  上記４９に記載のシステムにおいて、
前記ガス状燃焼ストリームの温度は、実質的に１９００度（カ氏）から２７００度（カ氏）の間であるシステム。
６７．  上記４９に記載のシステムにおいて、
前記水蒸気改質装置は、熱回収蒸気発生器と流体連通し、熱回収蒸気発生器の上流に位置するシステム。
６８．  上記４９に記載のシステムにおいて、
前記水蒸気改質装置は、前記タービンと直接結合するシステム。
６９．  上記４９に記載のシステムにおいて、
前記水蒸気改質装置は、熱交換器と触媒を含むシステム。
７０．  酸素燃料ガスタービンシステムを使用するための方法であって、
酸素ストリーム、二酸化炭素ストリーム、および制御燃料ストリームを供給する工程と、
前記酸素ストリーム、前記二酸化炭素ストリーム、および前記制御燃料ストリームを燃焼させて、ガス状燃焼ストリームを生成する工程と、
タービンで前記ガス状燃焼ストリームを膨張させて、膨張したガス状燃焼ストリームを形成する工程と、
実質的な化学平衡に到達するように、前記膨張したガス状燃焼ストリームに滞留時間を与える工程と、を含み、滞留時間は、前記膨張したガス状燃焼ストリームを前記滞留時間の間、保持するように構成されるプレナムによって提供される方法。
７１．  上記７０に記載の方法において、
さらに、タービンで前記ガス状燃焼ストリームを膨張させる工程には、発電する工程が含まれる方法。
７２．  上記７０に記載の方法において、
さらに、前記ガス状燃焼ストリームから二酸化炭素を抽出し、前記二酸化炭素を石油増進回収プロセスに適用する方法。
７３．  上記７０に記載の方法において、
前記滞留時間は、実質的に０．１秒と１０秒の間である方法。
７４．  上記７０に記載の方法において、
前記滞留時間は、実質的に０．１秒と２秒の間である方法。
７５．  上記７０に記載の方法において、
前記滞留時間は、１秒以上である方法。
７６．  上記７０に記載の方法において、
前記プレナムの中心線の長さは、実質的に１０メートルから３０メートルの間である方法。
７７．  上記７０に記載の方法において、
前記プレナムの中心線の長さは、３０メートル以上である方法。
７８．  上記７０に記載の方法において、
前記燃焼工程は、実質的に、１９００度（カ氏）から２７００度（カ氏）の間の温度を有するガス状燃焼ストリームを生成する方法。
７９．  上記７０に記載の方法において、
前記燃焼工程では、実質的に、２２００度（カ氏）から２５００度（カ氏）の間の温度を有するガス状燃焼ストリームを生成する方法。
８０．  上記７０に記載の方法において、
前記燃焼工程では、実質的に７０パーセントから８０パーセントの二酸化炭素の組成物を含む、ガス状燃焼ストリームを生成する方法。
８１．  上記７０に記載の方法において、
さらに、前記燃焼工程前に、前記二酸化炭素ストリームを圧縮する工程を含む方法。
８２．  上記７０に記載の方法において、
さらに、滞留時間を提供する工程の後に、前記膨張したガス状燃焼から、熱回収蒸気発生器を使用して、発電する工程を含む方法。
８３．  上記７０に記載の方法において、
さらに、滞留時間を提供する工程の後に、前記膨張したガス状燃焼ストリームから除去された熱を使用して、メタンを改質する工程を含み、前記メタンは水素と一酸化炭素に改質される方法。
８４．  酸素燃料ガスタービンシステムを使用する方法であって、
酸素ストリーム、二酸化炭素ストリーム、制御燃料ストリーム、および改質された制御燃料ストリームを供給する工程と、
前記酸素ストリーム、前記二酸化炭素ストリーム、および前記改質された制御燃料ストリームを燃焼させ、温度が少なくとも１８００度（カ氏）のガス状燃焼ストリームを生成する工程と、
タービンで前記ガス状燃焼ストリームを膨張させて、膨張したガス状燃焼ストリームを形成する工程と、
前記膨張したガス状燃焼ストリームから除去された熱を使用して、前記制御燃料ストリームを改質し、改質された制御燃料ストリームを形成する工程と、を含み、前記改質された制御燃料ストリームは、前記制御燃料ストリームと比較して水素の増加によって特徴付けられる方法。
８５．  上記８４に記載の方法において、
さらに、タービンで前記ガス状燃焼ストリームを膨張させる工程に、発電する工程を含む方法。
８６．  上記８４に記載の方法において、
前記燃焼工程では、実質的に、１９００度（カ氏）から２７００度（カ氏）の間の温度を有するガス状燃焼ストリームを生成する方法。
８７．  上記８４に記載の方法において、
前記燃焼工程では、実質的に、２２００度（カ氏）から２５００度（カ氏）の間の温度を有するガス状燃焼ストリームを生成する方法。
８８．  上記４９に記載のシステムにおいて、
改質装置は、水蒸気改質装置および自動熱改質装置からなる群から選択されるシステム。
【手続補正２】
【補正対象書類名】特許請求の範囲
【補正対象項目名】全文
【補正方法】変更
【補正の内容】
【特許請求の範囲】
【請求項１】
酸素燃料ガスタービンシステムであって、
酸素ストリームと、
二酸化炭素ストリームと、
制御燃料ストリームと、
前記酸素ストリーム、前記二酸化炭素ストリーム、および前記制御燃料ストリームを受容し、および、前記制御燃料ストリーム、前記二酸化炭素ストリーム、および前記酸素ストリームを燃焼させ、実質的に二酸化炭素と水を含む、ガス状燃焼ストリームを生成するように構成される燃焼ユニットであって、前記ガス状燃焼ストリームの温度は、少なくとも１８００度（カ氏）である燃焼ユニットと、
前記ガス状燃焼ストリームを受容し、前記ガス状燃焼ストリームを膨張させ、および、前記膨張したガス状燃焼ストリームをタービン排出ストリームとして排出するように構成されるタービンであって、前記タービン排出ストリームの温度は、少なくとも１２００度（カ氏）であるタービンと、
前記タービン排出ストリームを受容するための、前記タービンと流体連通するプレナムであって、前記タービン排出ストリームの少なくとも１つの成分が、平衡に向かうように化学反応し、および、実質的に中間生成物を平衡生成物に変換する滞留時間を供給するように構成される前記プレナムとを含むシステム。
【請求項２】
請求項１に記載のシステムにおいて、
前記ガス状燃焼ストリームが膨張した場合に、前記タービンは発電するように構成されるシステム。
【請求項３】
請求項１に記載のシステムにおいて、
前記ガス状燃焼ストリームからの前記二酸化炭素の少なくとも一部が、石油増進回収のために使用されるシステム。
【請求項４】
請求項１に記載のシステムにおいて、
前記タービン排出ストリームのそれぞれの成分の濃度が、前記それぞれの成分の平衡濃度よりも１０％未満大きくなるまで化学反応が進むように、前記滞留時間があらかじめ定められるシステム。
【請求項５】
請求項４に記載のシステムにおいて、
前記それぞれの成分は、酸素、一酸化炭素又は炭化水素中間体であるシステム。
【請求項６】
請求項５に記載のシステムにおいて、
前記炭化水素中間体は、未燃炭化水素であるシステム。
【請求項７】
請求項６に記載のシステムにおいて、
前記未燃炭化水素は、ホルムアルデヒドであるシステム。
【請求項８】
請求項１に記載のシステムにおいて、
前記タービンの出口における、前記タービン排出ストリームのそれぞれの成分の少なくともあらかじめ定められたパーセンテージが、前記プレナムの出口で平衡生成物に変換されるように、前記滞留時間があらかじめ定められるシステム。
【請求項９】
請求項８に記載のシステムにおいて、
前記あらかじめ定められたパーセンテージは、５０％であるシステム。
【請求項１０】
請求項８に記載のシステムにおいて、
前記それぞれの成分は、酸素、一酸化炭素又は炭化水素中間体であるシステム。
【請求項１１】
請求項１０に記載のシステムにおいて、
前記炭化水素中間体は、未燃炭化水素であるシステム。
【請求項１２】
請求項１１に記載のシステムにおいて、
前記未燃炭化水素は、ホルムアルデヒドであるシステム。
【請求項１３】
請求項１に記載のシステムにおいて、
前記タービン排出ストリームのそれぞれの成分が、石油増進回収プロセスに使用されることに適切になるまで、前記それぞれの成分が化学反応するように、前記滞留時間があらかじめ定められるシステム。
【請求項１４】
請求項１３に記載のシステムにおいて、
前記それぞれの成分は、酸素であって、前記酸素の濃度が１０ｐｐｍ以下である；又は前記それぞれの成分は、一酸化炭素であって、前記一酸化炭素の濃度は１０００ｐｐｍ以下であるシステム。
【請求項１５】
請求項１に記載のシステムにおいて、
前記滞留時間は、実質的に０．１秒から１０秒の間であるシステム。
【請求項１６】
請求項１に記載のシステムにおいて、
前記滞留時間は、実質的に０．１秒と２秒の間であるシステム。
【請求項１７】
請求項１に記載のシステムにおいて、
前記滞留時間は、１秒以上であるシステム。
【請求項１８】
請求項１に記載のシステムにおいて、
前記プレナムの中心線の長さは、実質的に１０メートルから３０メートルの間であるシステム。
【請求項１９】
請求項１に記載のシステムにおいて、
前記プレナムの中心線の長さは、３０メートル以上であるシステム。
【請求項２０】
請求項１に記載のシステムにおいて、
前記タービンが作用する前の前記ガス状燃焼ストリームの圧力は、実質的に１２バールと１８バールとの間であるシステム。
【請求項２１】
請求項１に記載のシステムにおいて、
前記ガス状燃焼ストリームの温度は、実質的に１９００度（カ氏）と２７００度（カ氏）との間であるシステム。
【請求項２２】
請求項１に記載のシステムにおいて、
前記ガス状燃焼ストリームの実質的に７０パーセントから８０パーセントは、二酸化炭素であるシステム。
【請求項２３】
請求項１に記載のシステムにおいて、
前記タービン排出ストリームの圧力は、実質的に１バールであるシステム。
【請求項２４】
請求項１に記載のシステムにおいて、
前記タービン排出ストリームの圧力は、実質的に１バールから２バールの間であるシステム。
【請求項２５】
請求項１に記載のシステムにおいて、
前記タービン排出ストリームの温度は、１２００度（カ氏）から１８００度（カ氏）の間であるシステム。
【請求項２６】
請求項１に記載のシステムにおいて、
前記二酸化炭素ストリームは、前記燃焼ユニットに受容される前に、１つまたは複数のコンプレッサーで圧縮されるシステム。
【請求項２７】
請求項１に記載のシステムにおいて、
前記プレナムは、熱回収蒸気発生器と流体連通するシステム。
【請求項２８】
請求項２７に記載のシステムにおいて、
前記熱回収蒸気発生器は、発電するように構成されるシステム。
【請求項２９】
請求項１に記載のシステムにおいて、
前記プレナムは、前記タービンと直接結合するシステム。
【請求項３０】
請求項１に記載のシステムにおいて、
前記酸素ストリームは、空気分離装置を使用して生成されるシステム。
【請求項３１】
請求項１に記載のシステムにおいて、
前記制御燃料ストリームは、二酸化炭素浸水貯留層および炭化水素燃料供給パイプラインの少なくとも１つから生成されるシステム。
【請求項３２】
請求項１に記載のシステムにおいて、
前記二酸化炭素ストリームは、前記ガス状燃焼ストリームの７０パーセントから１００パーセントの二酸化炭素を含むシステム。
【請求項３３】
請求項１に記載のシステムにおいて、
前記二酸化炭素ストリームは、油井から生成されるシステム。
【請求項３４】
請求項１に記載のシステムにおいて、
前記二酸化炭素ストリームは、前記酸素燃料ガスタービンシステムの起動時には、主に第１の供給源から生成され、および、前記二酸化炭素ストリームは、前記酸素燃料ガスタービンシステムが継続して運転される間は、主に第２の供給源から生成されるシステム。
【請求項３５】
請求項３４に記載のシステムにおいて、
前記第１の供給源は油井であり、前記第２の供給源は前記ガス状燃焼ストリームであるシステム。
【請求項３６】
請求項１に記載のシステムにおいて、
前記二酸化炭素ストリームは、前記燃焼ユニットに受容される前に、実質的に１２から１８バール（ゲージ圧）の間に圧縮されるシステム。
【請求項３７】
請求項１に記載のシステムにおいて、
前記プレナムは、蒸気改質装置と流体連通し、前記蒸気改質装置は、前記プレナム排出ストリームからの熱を使用し、前記制御燃料ストリームの水とメタンを、水素と一酸化炭素に改質するように構成されるシステム。
【請求項３８】
請求項３７に記載のシステムにおいて、
前記蒸気改質装置は、熱回収蒸気発生器と流体連通し、および熱回収蒸気発生器の上流に位置するシステム。
【請求項３９】
請求項３７に記載のシステムにおいて、
前記蒸気改質装置は、熱交換器と触媒を含むシステム。
【請求項４０】
ガス状燃焼ストリームを生成するように構成される燃焼ユニットと、
前記ガス状燃焼ストリームを受容し、前記ガス状燃焼ストリームを膨張させ、および、前記膨張したガス状燃焼ストリームをタービン排出ストリームとして排出するように構成されるタービンであって、前記タービン排出ストリームの温度は、少なくとも１２００度（カ氏）であるタービンと、
前記タービン排出ストリームを受容し、前記タービン排出ストリームから熱を除去し、熱を改質装置供給ストリームに伝えて、改質装置生成ストリームを生成するように構成される蒸気改質装置とを含む酸素燃料ガスタービンシステム。
【請求項４１】
請求項４０に記載のシステムにおいて、
前記改質装置供給ストリームは、少なくとも制御燃料ストリームの一部を含むシステム。
【請求項４２】
請求項４１に記載のシステムにおいて、
前記改質装置供給ストリームは、蒸気を含むシステム。
【請求項４３】
請求項４２に記載のシステムにおいて、
前記改質装置供給ストリームは、二酸化炭素を含むシステム。
【請求項４４】
請求項４１に記載のシステムにおいて、
前記改質装置生成ストリームの一部は、さらに変化して分離され、水素リッチストリームと酸化炭素リッチストリームとを生成するシステム。
【請求項４５】
請求項４４に記載のシステムにおいて、
前記燃焼ユニットは、酸素ストリーム、二酸化炭素ストリーム、および複合された燃料ストリームを受容するように構成され、前記複合された燃料ストリームは、前記制御燃料ストリームと前記酸化炭素リッチストリームとの混合物を含むシステム。
【請求項４６】
請求項４５に記載のシステムにおいて、
前記複合された燃料ストリームは、さらに、Ｈ2リッチストリームの一部を含むシステム。
【請求項４７】
請求項４０に記載のシステムにおいて、
さらに、前記タービン排出ストリームを冷却するために、前記改質装置は、熱回収蒸気発生器に結合されるシステム。
【請求項４８】
請求項４０に記載のシステムにおいて、
さらに、前記改質装置の上流に位置するプレナムを含み、前記プレナムは、前記タービン排出ストリームのそれぞれの成分が、平衡に向かうように化学反応し、実質的に中間生成物を平衡生成物に変換する滞留時間を供給するように構成されるシステム。
【請求項４９】
請求項４０に記載のシステムにおいて、
前記改質装置と前記タービンの排出ノズルとの間の距離は、５メーター未満であるシステム。
【請求項５０】
請求項４０に記載のシステムにおいて、
前記改質装置と前記タービンの排出ノズルとの間の滞留時間は、０．１秒未満であるシステム。
【請求項５１】
請求項４０に記載のシステムにおいて、
前記蒸気改質装置は、熱交換器と触媒を含むシステム。
【請求項５２】
酸素燃料ガスタービンシステムを使用するための方法であって、
酸素ストリーム、二酸化炭素ストリーム、および制御燃料ストリームを供給する工程と、
前記酸素ストリーム、前記二酸化炭素ストリーム、および前記制御燃料ストリームを燃焼させて、ガス状燃焼ストリームを生成する工程と、
タービンで前記ガス状燃焼ストリームを膨張させて、膨張したガス状燃焼ストリームを形成する工程と、
実質的な化学平衡に到達するように、前記膨張したガス状燃焼ストリームに滞留時間を与える工程とを含み、滞留時間は、前記膨張したガス状燃焼ストリームを前記滞留時間の間保持するように構成されるプレナムによって提供される方法。
【請求項５３】
請求項５２に記載の方法において、
さらに、タービンで前記ガス状燃焼ストリームを膨張させる工程には、発電する工程が含まれる方法。
【請求項５４】
請求項５２に記載の方法において、
さらに、前記ガス状燃焼ストリームから二酸化炭素を抽出する工程と、前記二酸化炭素を石油増進回収プロセスに適用する工程を含む方法。
【請求項５５】
請求項５２に記載の方法において、
前記滞留時間は、実質的に０．１秒と１０秒の間である方法。
【請求項５６】
請求項５２に記載の方法において、
さらに、前記燃焼工程前に、前記二酸化炭素ストリームを圧縮する工程を含む方法。
【請求項５７】
請求項５２に記載の方法において、
さらに、滞留時間を提供する工程の後に、前記膨張したガス状燃焼から、熱回収蒸気発生器を使用して、発電する工程を含む方法。
【請求項５８】
請求項５２に記載の方法において、
さらに、滞留時間を提供する工程の後に、前記膨張したガス状燃焼ストリームから除去された熱を使用して、メタンを改質する工程を含み、前記メタンは水素と一酸化炭素に改質される方法。
【請求項５９】
酸素燃料ガスタービンシステムを使用する方法であって、
酸素ストリーム、二酸化炭素ストリーム、制御燃料ストリーム、および改質された制御燃料ストリームを供給する工程と、
前記酸素ストリーム、前記二酸化炭素ストリーム、および前記改質された制御燃料ストリームを燃焼させ、温度が少なくとも１８００度（カ氏）のガス状燃焼ストリームを生成する工程と、
タービンで前記ガス状燃焼ストリームを膨張させて、膨張したガス状燃焼ストリームを形成する工程と、
前記膨張したガス状燃焼ストリームから除去された熱を使用して、前記制御燃料ストリームを改質し、改質された制御燃料ストリームを形成する工程とを含み、前記改質された制御燃料ストリームは、前記制御燃料ストリームと比較して水素の増加によって特徴付けられる方法。
【請求項６０】
請求項５９に記載の方法において、
さらに、タービンで前記ガス状燃焼ストリームを膨張させる工程には、発電する工程が含まれる方法。